(57)【要約】【課題】取扱いが簡便な高品位尿素水の簡易供給装置と、その装置を用いた効率的な高品位尿素水の供給方法を提供する。【解決手段】本発明は、高品位尿素水の簡易供給装置であって、１０５０Ｌ乃至１５００Ｌの実容量を有する高密度ポリエチレン製ＩＢＣタンクである上部タンクと１２００Ｌ乃至１５００Ｌの実容量を有する高密度ポリエチレン製ＩＢＣタンクである下部タンクとの二段式タンクを備え、前記上部タンクは、エア抜き口及び高品位尿素水注入口、並びにタンク底部に高品位尿素水流出口を有し、また前記下部タンクは、エア抜き口、高品位尿素水流入口、及び高品位尿素水供給口を有し、そして前記上部タンクの高品位尿素水流出口と前記下部タンクの高品位尿素水流入口とを連結する着脱バルブ付接続ホースを備え、  さらに前記下部タンクの高品位尿素水供給口と接続された、電動ポンプ駆動のガンノズル付供給ホースを備えてなる、高品位尿素水の簡易供給装置、並びに、該装置を用いた高品位尿素水の供給方法である。【選択図】図６
2008265803.tif 000002
【特許請求の範囲】
【請求項１】
高品位尿素水の簡易供給装置であって、
１０５０L乃至１５００Lの実容量を有する高密度ポリエチレン製ＩＢＣタンクである上部タンクと１２００L乃至１５００Lの実容量を有する高密度ポリエチレン製ＩＢＣタンクである下部タンクとの二段式タンクを備え、
前記上部タンクは、エア抜き口及び高品位尿素水注入口、並びにタンク底部に高品位尿素水流出口を有し、
また前記下部タンクは、エア抜き口、高品位尿素水流入口、及び高品位尿素水供給口を有し、
そして前記上部タンクの高品位尿素水流出口と前記下部タンクの高品位尿素水流入口とを連結する着脱バルブ付接続ホースを備え、
さらに前記下部タンクの高品位尿素水供給口と接続された、電動ポンプ駆動のガンノズル付供給ホースを備えてなる、高品位尿素水の簡易供給装置。
【請求項２】
前記エア抜き口には、さらに気体用フィルタが備えられている請求項１記載の高品位尿素水の簡易供給装置。
【請求項３】
前記ガンノズル付供給ホースには、さらに流量計が接続されている請求項１記載の高品位尿素水の簡易供給装置。
【請求項４】
高品位尿素水の簡易供給装置であって、
１０５０L乃至１５００Lの実容量を有する高密度ポリエチレン製ＩＢＣタンクである上部タンクと１２００L乃至１５００Lの実容量を有する高密度ポリエチレン製ＩＢＣタンクである下部タンクとの二段式タンクを備え、
前記上部タンクは、エア抜き口及び高品位尿素水注入口、並びにタンク底部に高品位尿素水流出口を有し、
また前記下部タンクは、エア抜き口及び高品位尿素水流入口、並びにタンク底部に高品位尿素水供給口を有し、
そして前記上部タンクの高品位尿素水流出口と前記下部タンクの高品位尿素水流入口とを連結する着脱バルブ付接続ホースを備え、
さらに前記下部タンクの高品位尿素水供給口と接続された、ガンノズル付供給ホースを備えてなる、高品位尿素水の簡易供給装置。
【請求項５】
前記エア抜き口には、さらに気体用フィルタが備えられている請求項４記載の高品位尿素水の簡易供給装置。
【請求項６】
１０００Ｌに定量された高品位尿素水を充填する１０５０L乃至１５００Lの実容量を有する高密度ポリエチレン製ＩＢＣタンクを備えた高品位尿素水の移送装置を用いて、
１０００Ｌの高品位尿素水を、請求項１記載の高品位尿素水の簡易供給装置の上部タンクの高品位尿素水注入口に流入し、その後、上部タンクより下部タンクに流し送り、そして下部タンクの高品位尿素水供給口より供給することを特徴とする、高品位尿素水の供給方法。
【請求項７】
１０００Ｌに定量された高品位尿素水を充填する１０５０L乃至１５００Lの実容量を有する高密度ポリエチレン製ＩＢＣタンクを備えた高品位尿素水の移送装置を用いて、
１０００Ｌの高品位尿素水を、請求項４記載の高品位尿素水の簡易供給装置の上部タンクの高品位尿素水注入口に流入し、その後、上部タンクより下部タンクに流し送り、そして下部タンクの高品位尿素水供給口より供給することを特徴とする、高品位尿素水の供給方法。
【請求項８】
１０００Ｌないし１００００Ｌの実容量を有するタンクローリーより、１０００Ｌ定量の高品位尿素水を、請求項１記載の高品位尿素水の簡易供給装置の上部タンクの高品位尿素水注入口に流入し、その後、上部タンクより下部タンクに流し送り、そして下部タンクの高品位尿素水供給口より供給することを特徴とする、高品位尿素水の供給方法。
【請求項９】
１０００Ｌないし１００００Ｌの実容量を有するタンクローリーより、１０００Ｌ定量の高品位尿素水を、請求項４記載の高品位尿素水の簡易供給装置の上部タンクの高品位尿素水注入口に流入し、その後、上部タンクより下部タンクに流し送り、そして下部タンクの高品位尿素水供給口より供給することを特徴とする、高品位尿素水の供給方法。
【発明の詳細な説明】
【技術分野】
【０００１】
本発明は、尿素を添加してＮＯｘを還元する触媒システム「尿素ＳＣＲ」に用いる高品位尿素水の簡易供給装置とその装置を用いた高品位尿素水供給方法に関する。
【背景技術】
【０００２】
ディーゼル自動車のエンジンから排出される排気ガスに含まれる粒子状物質（Ｐａｒｔｉｃｕｌａｔｅ  Ｍａｔｔｅｒ；以下「ＰＭ」という。）及び窒素酸化物（以下「ＮＯｘ」という。）の大幅な低減のためには、エンジンから排出されるガス中のＰＭ及びＮＯｘを低減する技術の改善のみでは限界があり、排気後処理装置の導入が必要不可欠とされている。
排気後処理装置のうち、ＮＯｘを還元処理する触媒システム（以下「ＮＯｘ還元触媒」という。）としては、ＮＯｘを触媒に吸蔵又は吸着して還元する触媒システム（以下「吸蔵型ＮＯｘ還元触媒」という。）や尿素を添加してＮＯｘを還元する触媒システム（以下「尿素ＳＣＲ」という。）の導入が段階的に進められており、今後、硫黄分１０ｐｐｍ以下の軽油の普及に伴い、こうしたＮＯｘ還元触媒の浄化性能や耐久性の向上が図られると考えられている。
【０００３】
一方、ＰＭ対策として用いられるディーゼル微粒子除去装置（以下「ＤＰＦ」という。）は、一部車種を除き、新長期目標に基づく規制に対応した車両において採用が予定されており、既に実用化されている技術である。今後、更なる技術の進展及び燃料・潤滑油の品質の改善等により、その浄化性能を一層向上させることが可能と考えられる。しかしながら、高温で高い燃焼効率を求めると、ＰＭが低減できる一方で、空気中の窒素が酸化してＮＯｘが生成される。そこで高温の排ガス中に尿素を噴射し、その混合気を尿素触媒に通すことでＮＯｘを窒素と水に還元する尿素ＳＣＲと呼ばれるシステムが実用化されている。
尿素ＳＣＲに使用される高品位尿素水については、日本自動車規格（ＪＡＳＯ）によって、「ディーゼル機関−ＮＯｘ還元添加剤ＡＵＳ３２−第１部：性状（ＪＡＳＯＥ５０２）」の規格が制定されている。
高品位尿素水の製品規格は、以下の通りである。
尿素濃度：３１．８〜３３．３ｗｔ％、密度（２０℃）：１．０８７０〜１．０９２０ｇ／ｃｍ3、屈折率（２０℃）：１．３８１７〜１．３８４０，アルカリ度（ＮＨ3換算）：＜０．２％、炭酸塩（ＣＯ2換算）：＜０．２％、ビゥレット：＜０．３％、ホルムア
ルデヒド：＜１０ｍｇ／ｋｇ、不溶解分：＜２０ｍｇ／ｋｇ、燐酸（ＰＯ4）：＜０．５
ｍｇ／ｋｇ、カルシウム：＜０．５ｍｇ／ｋｇ、鉄分：＜０．５ｍｇ／ｋｇ、銅：＜０．２ｍｇ／ｋｇ、亜鉛：＜０．２ｍｇ／ｋｇ、クローム：＜０．２ｍｇ／ｋｇ、ニッケル：＜０．２ｍｇ／ｋｇ、マグネシウム：＜０．５ｍｇ／ｋｇ、カリウム：＜０．５ｍｇ／ｋｇ、ナトリム：＜０．５ｍｇ／ｋｇ。
【０００４】
高品位尿素水はディーゼル自動車の走行中に消費されるので、定期的に供給・補充する必要がある。現在、以下の高品位尿素水の供給方法が提案されている。
１）容量５Ｌ、１０Ｌ及び２０Ｌの使い捨て容器（Ｂａｇ  ｉｎ  Ｂｏｘ）による供給方法。
２）トラックターミナルに、容量１０００ＬのＩＢＣ（Ｉｎｔｅｒｍｅｄｉａｔｅ  Ｂｕｌｋ  ｃｏｎｔａｉｎｅｒ）タンク（１０７０Ｌの実容量を有するＩＢＣタンク）を設置し、使用に応じて、容量１０００ＬのＩＢＣタンクを交換する供給方法。
３）トラックターミナルに、容量６００Ｌ以上のディスペンサーを設置し、使用に応じて、タンクローリーから、高品位尿素水を計量・充填する供給方法。
【発明の開示】
【発明が解決しようとする課題】
【０００５】
現在、尿素ＳＣＲに使用される高品位尿素水の効率的な供給体制の確立が要請されているが、提案されている前記の供給方法には、以下の課題がある。
１）使い捨て容器（Ｂａｇ  ｉｎ  Ｂｏｘ）による供給方法では、使い捨て容器による包装費用と後処理費用がかかり、経済的に好ましい供給方法とはいえない。
２）容量１０００ＬのＩＢＣタンクを交換する供給方法では、ＩＢＣタンク内に残液があるので、ＩＢＣタンクを交換する毎に、タンクの洗浄充填が必要になると共に、廃液処理費用がかかる。また、使用中のＩＢＣタンクの他に予備のタンクを設置する必要が生じて、経済的に好ましい供給方法とはいえない。
本発明は、前記課題を解決するためのものである。即ち、本発明は、高品位尿素水の取扱いが簡便な簡易供給装置と、その装置を用いた高品位尿素水の効率的な供給方法を提供することを目的とする。
【課題を解決するための手段】
【０００６】
本発明の第一観点は、
高品位尿素水の簡易供給装置であって、
１０５０Ｌ乃至１５００Ｌの実容量を有する高密度ポリエチレン製ＩＢＣタンクである上部タンクと１２００Ｌ乃至１５００Ｌの実容量を有する高密度ポリエチレン製ＩＢＣタンクである下部タンクとの二段式タンクを備え、
前記上部タンクは、エア抜き口及び高品位尿素水注入口、並びにタンク底部に高品位尿素水流出口を有し、
また前記下部タンクは、エア抜き口、高品位尿素水流入口、及び高品位尿素水供給口を有し、
そして前記上部タンクの高品位尿素水流出口と前記下部タンクの高品位尿素水流入口とを連結する着脱バルブ付接続ホースを備え、
さらに前記下部タンクの高品位尿素水供給口と接続された、電動ポンプ駆動のガンノズル付供給ホースを備えてなる、高品位尿素水の簡易供給装置である。
このうち好ましい態様は、前記エア抜き口には、さらに気体用フィルタが備えられている、高品位尿素水の簡易供給装置である。
別の好ましい態様は、前記ガンノズル付供給ホースには、さらに流量計が接続されている、高品位尿素水の簡易供給装置である。
【０００７】
本発明の第二観点は、
高品位尿素水の簡易供給装置であって、
１０５０Ｌ乃至１５００Ｌの実容量を有する高密度ポリエチレン製ＩＢＣタンクである上部タンクと１２００Ｌ乃至１５００Ｌの実容量を有する高密度ポリエチレン製ＩＢＣタンクである下部タンクとの二段式タンクを備え、
前記上部タンクは、エア抜き口及び高品位尿素水注入口、並びにタンク底部に高品位尿素水流出口を有し、
また前記下部タンクは、エア抜き口及び高品位尿素水流入口、並びにタンク底部に高品位尿素水供給口を有し、
そして前記上部タンクの高品位尿素水流出口と前記下部タンクの高品位尿素水流入口とを連結する着脱バルブ付接続ホースを備え、
さらに前記下部タンクの高品位尿素水供給口と接続された、ガンノズル付供給ホースを備えてなる、高品位尿素水の簡易供給装置である。
この好ましい態様は、前記エア抜き口には、さらに気体用フィルタが備えられている、高品位尿素水の簡易供給装置である。
【０００８】
本発明の第三観点は、
１０００Ｌに定量された高品位尿素水を充填する１０５０Ｌ乃至１５００Ｌの実容量を有する高密度ポリエチレン製ＩＢＣタンクを備えた高品位尿素水の移送装置を用いて、
１０００Ｌの高品位尿素水を、第一観点に記載の高品位尿素水の簡易供給装置の上部タンクの高品位尿素水注入口に流入し、その後、上部タンクより下部タンクに流し送り、そして下部タンクの高品位尿素水供給口より供給することを特徴とする、高品位尿素水の供給方法である。
【０００９】
本発明の第四観点は、
１０００Ｌに定量された高品位尿素水を充填する１０５０Ｌ乃至１５００Ｌの実容量を有する高密度ポリエチレン製ＩＢＣタンクを備えた高品位尿素水の移送装置を用いて、
１０００Ｌの高品位尿素水を、第二観点記載の高品位尿素水の簡易供給装置の上部タンクの高品位尿素水注入口に流入し、その後、上部タンクより下部タンクに流し送り、そして下部タンクの高品位尿素水供給口より供給することを特徴とする、高品位尿素水の供給方法である。
【００１０】
本発明の第五観点は、
１０００Ｌないし１００００Ｌの実容量を有するタンクローリーより、１０００Ｌ定量の高品位尿素水を、第一観点記載の高品位尿素水の簡易供給装置の上部タンクの高品位尿素水注入口に流入し、その後、上部タンクより下部タンクに流し送り、そして下部タンクの高品位尿素水供給口より供給することを特徴とする、高品位尿素水の供給方法である。
【００１１】
本発明の第六観点は、
１０００Ｌないし１００００Ｌの実容量を有するタンクローリーより、１０００Ｌ定量の高品位尿素水を、第二観点記載の高品位尿素水の簡易供給装置の上部タンクの高品位尿素水注入口に流入し、その後、上部タンクより下部タンクに流し送り、そして下部タンクの高品位尿素水供給口より供給することを特徴とする、高品位尿素水の供給方法である。
【発明の効果】
【００１２】
本発明によれば、高品位尿素水のディーゼル車への供給途中で下部タンクの高品位尿素水がたとえ空になったとしても、上部タンクより直ちに一定量の高品位尿素水を下部タンクに供給することができるため、ディーゼル車への高品位尿素水の供給が中断することなく、安定供給されるという利点を有する。なお且つ、本発明の高品位尿素水の簡易供給装置は、２つのタンクが互いに上下に設置されるものであるため、２つのタンクが横に並列して設置されるものよりも、設置面積が小さくて済むという利点もある。これに対し、例えば一段式タンクからなる高品位尿素水の簡易供給装置の場合においては、タンクが実質的に空でなければ、一定量の高品位尿素水を供給するとタンク容量を超えてしまう上に、空になったときに直ちに供給できる手段を有していないため、ディーゼル車への高品位尿素水の供給が中断してしまうという不利さを有する。
また本発明において、移送装置として１０００Ｌないし１００００Ｌの実容量を有するタンクローリーを用いる場合、それぞれのトラックターミナルを順次周回しながら各トラックターミナルに設置した高品位尿素水の簡易供給装置に供給できるため、各トラックターミナルへの高品位尿素水の供給が円滑に行われる。
【発明を実施するための最良の形態】
【００１３】
本発明の第一観点における高品位尿素水の簡易供給装置は、ＩＢＣタンクである上部タンクと下部タンクとの二段式タンクを備える。このうち、上部タンクは、エア抜き口及び高品位尿素水注入口、並びにタンク底部に高品位尿素水流出口を有する一方で、下部タンクは、エア抜き口、高品位尿素水流入口、及び高品位尿素水供給口を有する。そして上部タンクの高品位尿素水流出口と下部タンクの高品位尿素水流入口とは、着脱バルブ付接続
ホースにより連結されている。さらに下部タンクの高品位尿素水供給口には、電動ポンプ駆動のガンノズル付供給ホースが接続されており、このガンノズル付供給ホースを介して高品位尿素水がディーゼル車へと供給される。また、用いられる上部タンクは１０５０Ｌ乃至１５００Ｌの実容量を有する高密度ポリエチレン製であり、下部タンクは１２００Ｌ乃至１５００Ｌの実容量を有する高密度ポリエチレン製である。
また、高品位尿素水の流出時における、外部よりのダストの混入を防ぐため、エア抜き口には気体用フィルタを備えていることが好ましい。気体用フィルタとしては、ステンレス製メッシュ又はポリプロピレン製不織布が使用可能である。電動ポンプは、ＩＢＣタンクの天板部分に竪形の電動ポンプを据え付けるのが好ましい。また、使用の便利さから、ガンノズル付供給ホースには、さらに流量計が接続されていることが好ましい。
本発明の第二観点における高品位尿素水の簡易供給装置は、下部タンクに電動ポンプを有していない他は上記第一観点における高品位尿素水の簡易供給装置と同様の構成を有するものであり、電動ポンプを必要とせずに、ヘッド差（高低差）を用いて自重により、高品位尿素水がディーゼル車に供給されることにある。かかる第二観点の高品位尿素水の簡易供給装置においても、エア抜き口には、さらに気体用フィルタが備えられていることが、ダストの混入防止の点で好ましい。
本発明の第三観点における高品位尿素水の供給方法によれば、例えば工場において１０００Ｌに定量された高品位尿素水を充填する１０５０Ｌ乃至１５００Ｌの実容量を有する高密度ポリエチレン製ＩＢＣタンクを備えた高品位尿素水の移送装置を用いて、上記第一観点における高品位尿素水の簡易供給装置の上部タンクの高品位尿素水注入口に流入し、その後、上部タンクより下部タンクに流し送り、そして下部タンクの高品位尿素水供給口より供給される。このように、高品位尿素水は、一定量の高品位尿素水を充填するＩＢＣタンク等の移送装置を積載した小型トラック、大型トラック等の運搬手段を用いて、トラックターミナルに運搬され、一旦、上部タンク内に充填される。そしてその後、上部タンクより下部タンクに流し送られ、そして下部タンクよりディーゼル車に供給される。
また、本発明の第四観点における高品位尿素水の供給方法によれば、上記第三観点における高品位尿素水の供給方法において、第一観点の代わりに第二観点における高品位尿素水の簡易供給装置を用いる他は、同様であり、電動ポンプを必要としない。
一方、本発明の第五観点における高品位尿素水の供給方法によれば、高品位尿素水の移送装置としてタンクローリーが用いられる他は、上記第三観点における高品位尿素水の供給方法と同様である。タンクローリーは１０００Ｌないし１００００Ｌの実容量を有することが好ましい。また、タンクローリーは、計量装置（計量検定合格済み）を備えて、１Ｌ単位にて供給することが好ましい。
本発明の第六観点における高品位尿素水の供給方法によれば、高品位尿素水の移送装置として第五観点における１０００Ｌないし１００００Ｌの実容量を有するタンクローリーを用いた他は、上記第四観点における高品位尿素水の供給方法と同様である。
【００１４】
本発明で取り扱う高品位尿素水は、尿素ＳＣＲに用いるために、移送時及び保管において、金属汚染を防止する必要がある。
高品位尿素水の金属汚染を防止するため、ＩＢＣタンクにおいては、そのインナータンク材質は高密度ポリエチレンが好ましい。なお、ＩＢＣタンクでは、通常、インナータンクの保護のためケージが採用されている。ケージは、例えば、頑丈な亜鉛メッキ鋼管のフレーム構造性ケージとなっている。
下部タンクのケージは、上部タンクのケージと異なり上部タンクに高品位尿素水を充填した加重に耐えられるように強固に設計される。
電動ポンプとしては、下部タンクの底部より高品位尿素水を抜き出すことができるのであればそのポンプの形式は問わない。設置例としては、下部タンクに高品位尿素水供給口を設置し、下部タンクのケージに電動ポンプを固定する。又はタンク底部の高品位尿素水供給口にガンノズル付供給ホースを介して電動ポンプを設置する方法がある。
材質から強化プラスチック製電動ポンプが好ましい。強化プラスチック製電動ポンプは
、酸・アルカリ用途に用いられるほど耐性が優れている。構造（パイプ・プロペラ）材質には、強化プラスチックとしてポリプロピレンが好ましい。また、シャフト材質には、高耐熱耐食合金であるステンレス合金（ＳＵＳ３０４）、ハステロイ（登録商標）合金、インコネル（登録商標）合金などが好ましい。シール材質は、セラミック、フッ素樹脂、フッ素ゴム、ハステロイ（登録商標）合金、インコネル（登録商標）合金などを、特性に応じて使用するのが好ましい。ホース材質は、軟質塩化ビニルが好ましい。ガンノズル材質も、強化プラスチックとしてポリプロピレンが好ましい。
また、本発明の高品位尿素水の供給方法で使用する、高密度ポリエチレン製ＩＢＣタンクからなる高品位尿素水の移送装置は、第一観点の高品位尿素水の簡易供給装置の上部タンク又は下部タンクと実容量が異なるのみで、材質は同じものである。実際、１０００Ｌの実容量の高品位尿素水を移送できれば良く、例えば１０５０〜１５００Ｌの実容量を有する高密度ポリエチレン製ＩＢＣが用いられる。
【実施例】
【００１５】
本発明について、以下、具体的に説明するが、いかなる場合であっても本発明を限定するものと解釈されてはならない。
【００１６】
実施例１
本実施例は、図１に示す本発明の高品位尿素水の簡易供給装置１を挙げる。
図１に示す高品位尿素水の簡易供給装置１は、容量１２５０ＬのＩＢＣタンク（１３１０Ｌの実容量を有するＩＢＣタンク）である上部タンク２と、同様の実容量を有するＩＢＣタンクである下部タンク３との二段式タンクからなる。
このうち、上部タンク２は、エア抜き口４、高品位尿素水注入口５及びタンク底部に高品位尿素水流出口６を有する一方で、下部タンク３は、エア抜き口７、高品位尿素水流入口８、及び高品位尿素水供給口９を有する。そして上部タンク２の高品位尿素水流出口６と下部タンク３の高品位尿素水流入口８とは、着脱バルブ付接続ホース１０により互いに連結されている。さらに、下部タンク３の高品位尿素水供給口９には、電動ポンプ１１に駆動されるガンノズル付供給ホース１２が接続されており、下部タンク３よりこのガンノズル付供給ホース１２を介して、ディーゼル自動車の尿素水タンクに高品位尿素水が供給される。また、上部タンク２の高品位尿素水注入口５には、高品位尿素水を注入していないときは、外部からのダストの混入を防止するために、チェーン付のダストキャップ１３により封止されている。
【００１７】
実施例２
本実施例の、図２に示す本発明の高品位尿素水の簡易供給装置１４は、上記実施例に示した高品位尿素水の簡易供給装置１において、下部タンク３の高品位尿素水流入口８の位置をエア抜き口７により近くなるように変更した他は、同様の構成のものである。
【００１８】
実施例３
本実施例の、図３に示す本発明の高品位尿素水の簡易供給装置１５は、上記実施例２に示した高品位尿素水の簡易供給装置１４において、下部タンク３の高品位尿素水供給口９の位置をタンクの下部から上部に変更した他は、同様の構成のものである。
【００１９】
実施例４
本実施例の、図４に示す本発明の高品位尿素水の簡易供給装置１６は、上記実施例１に示した高品位尿素水の簡易供給装置１において、電動ポンプ１１を用いずに、高品位尿素水供給口９に直接、ガンノズル付供給ホース１２を接続した他は、同様の構成である。
【００２０】
実施例５
本実施例の、図５に示す本発明の高品位尿素水の簡易供給装置１７は、上記実施例４に
示した高品位尿素水の簡易供給装置１６において、下部タンク３の高品位尿素水流入口８の位置をエア抜き口７により近くなるように変更した他は、同様の構成のものである。
【００２１】
実施例６
本実施例においては、本発明の高品位尿素水の供給方法の一態様を図６を挙げて説明する。
１０００Ｌに定量された高品位尿素水を充填する１０５０Ｌ乃至１５００Ｌの実容量を有する高密度ポリエチレン製ＩＢＣタンク１８を移送装置とし、運搬自動車１９に積載してトラックターミナルに運搬する。そして、前記１０００Ｌの高品位尿素水を、例えば上記実施例１の高品位尿素水の簡易供給装置１の上部タンク２の高品位尿素水注入口５より注入し、その後、上部タンク２の高品位尿素水流出口６より下部タンク３の高品位尿素水流入口８から下部タンク３内に流し送る。そして作業者２０は、高品位尿素水を下部タンク３のガンノズル付供給ホース１２を介してディーゼル自動車２１の尿素水タンク２２に供給する。
【００２２】
実施例７
本実施例の、図７に示す本発明の高品位尿素水の供給方法は、上記実施例６の高品位尿素水の供給方法において、移送装置としてＩＢＣタンク１８の代わりにタンクローリー２３を用いた他は、実施例６と同様の方法である。
【００２３】
例１
本例１は、本発明の高品位尿素水の供給方法に使用する、高品位尿素水の移送装置の一態様を、図８の（ａ）及び（ｂ）に挙げて説明する。
図８に示すように、移送装置として容量１２５０ＬのＩＢＣタンク２４は、タンク上部において高品位尿素水注入口２５、高品位尿素水供給口２６及びエア抜き口２７を備えている。高品位尿素水供給口２６には電動ポンプ２８が設けられ、電動ポンプ２８には供給ホース２９を接続することができる。供給ホース２９は、メスカプラー３０により、図８（ｂ）に示す延長ホース３１のオスカプラー３２と接続して更に延長することが可能である。延長ホース３１には、オスカプラー３２を一時封止するためのダストキャップ３３が、チェーン３４により接続されている。必要に応じ、図８（ｂ）の延長ホース３１のオスカプラー３２を、図８（ａ）の供給ホース２９のメスカプラー３０と接続する一方で、延長ホースのメスカプラー３０を、例えば上記の高品位尿素水の簡易供給装置１の上部タンク２の高品位尿素水注入口５に接続することができる。
【図面の簡単な説明】
【００２４】
【図１】本発明の実施例１の高品位尿素水の簡易供給装置を示す模式図である。
【図２】本発明の実施例２の高品位尿素水の簡易供給装置を示す模式図である。
【図３】本発明の実施例３の高品位尿素水の簡易供給装置を示す模式図である。
【図４】本発明の実施例４の高品位尿素水の簡易供給装置を示す模式図である。
【図５】本発明の実施例５の高品位尿素水の簡易供給装置を示す模式図である。
【図６】本発明の実施例６の高品位尿素水の供給方法を示す模式図である。
【図７】本発明の実施例７の高品位尿素水の供給方法を示す模式図である。
【図８】本発明の高品位尿素水の供給方法に使用する、高品位尿素水の移送装置の一例を示す模式図である。
【符号の説明】
【００２５】
１，１４，１５，１６，１７  本発明の高品位尿素水の簡易供給装置    ２  上部タンク
３  下部タンク    ４，７  エア抜き口    ５  高品位尿素水注入口    ６  高品位尿素水流出口    ８  高品位尿素水流入口    ９  高品位尿素水供給口    １０  着脱バルブ付接続ホース    １１  電動ポンプ    １２  ガンノズル付供給ホース    １３  ダ
ストキャップ    １８，２４  ＩＢＣタンク    １９  運搬自動車    ２０  作業者    ２１  ディーゼル自動車    ２２  尿素水タンク    ２３  タンクローリー    ２５  高品位尿素水注入口    ２６  高品位尿素水供給口    ２７  エア抜き口    ２８  電動ポンプ    ２９  供給ホース    ３０  メスカプラー    ３１  延長ホース    ３２  オスカプラー    ３３  ダストキャップ    ３４  チェーン
【図１】
2008265803.tif 000003
【図２】
2008265803.tif 000004
【図３】
2008265803.tif 000005
【図４】
2008265803.tif 000006
【図５】
2008265803.tif 000007
【図６】
2008265803.tif 000008
【図７】
2008265803.tif 000009
【図８】
2008265803.tif 000010